(57)【特許請求の範囲】
【請求項１】
映像出力端子と、前記映像出力端子の出力設定を切り換える切り換え手段とを備え、映像信号を処理し、前記映像出力端子を介して出力する映像信号処理装置において、
前記切り換え手段により前記映像出力端子が第１の出力設定から、前記第１の出力設定では出力できない高い解像度の出力フォーマットを有する第２の出力設定に切り換えられたか否かを判断する第１の判断手段と、
前記第１の判断手段により前記映像出力端子が前記第１の出力設定から前記第２の出力設定に切り換えられたと判断された場合、前記映像信号の入力フォーマットが前記高い解像度の出力フォーマットであるか否かを判断する第２の判断手段と、
前記第２の判断手段により前記映像信号の入力フォーマットが前記高い解像度の出力フォーマットではないと判断された場合、前記映像信号を、前記高い解像度の出力フォーマットで所定の時間だけ出力し、その後、前記映像信号の入力フォーマットに対応した出力フォーマットで出力するように出力を制御する出力制御手段と
を備えることを特徴とする映像信号処理装置。
【請求項２】
前記第１の出力設定は、Ｄ３端子の設定であり、
前記第２の出力設定は、Ｄ４端子の設定であり、
前記高い解像度の出力フォーマットは、750pのフォーマットである
ことを特徴とする請求項１に記載の映像信号処理装置。
【請求項３】
前記第１の出力設定は、Ｄ２端子の設定であり、
前記第２の出力設定は、Ｄ４端子の設定であり、
前記高い解像度の出力フォーマットは、1125iまたは750pのフォーマットである
ことを特徴とする請求項１に記載の映像信号処理装置。
【請求項４】
前記第１の出力設定は、Ｄ２端子の設定であり、
前記第２の出力設定は、Ｄ３端子の設定であり、
前記高い解像度の出力フォーマットは、1125iのフォーマットである
ことを特徴とする請求項１に記載の映像信号処理装置。
【請求項５】
映像出力端子と、前記映像出力端子の出力設定を切り換える切り換え手段とを備え、映像信号を処理し、前記映像出力端子を介して出力する映像信号処理装置の映像信号処理方法において、
前記切り換え手段により前記映像出力端子が第１の出力設定から、前記第１の出力設定では出力できない高い解像度の出力フォーマットを有する第２の出力設定に切り換えられたか否かを判断する第１の判断ステップと、
前記第１の判断ステップの処理により前記映像出力端子が前記第１の出力設定から前記第２の出力設定に切り換えられたと判断された場合、前記映像信号の入力フォーマットが前記高い解像度の出力フォーマットであるか否かを判断する第２の判断ステップと、
前記第２の判断ステップの処理により前記映像信号の入力フォーマットが前記高い解像度の出力フォーマットではないと判断された場合、前記映像信号を、前記高い解像度の出力フォーマットで所定の時間だけ出力し、その後、前記映像信号の入力フォーマットに対応した出力フォーマットで出力するように出力を制御する出力制御ステップと
を含むことを特徴とする映像信号処理方法。
【請求項６】
映像出力端子と、前記映像出力端子の出力設定を切り換える切り換え手段とを備え、映像信号を処理し、前記映像出力端子を介して出力する映像信号処理装置用のプログラムであって、
前記切り換え手段により前記映像出力端子が第１の出力設定から、前記第１の出力設定では出力できない高い解像度の出力フォーマットを有する第２の出力設定に切り換えられたか否かを判断する第１の判断ステップと、
前記第１の判断ステップの処理により前記映像出力端子が前記第１の出力設定から前記第２の出力設定に切り換えられたと判断された場合、前記映像信号の入力フォーマットが前記高い解像度の出力フォーマットであるか否かを判断する第２の判断ステップと、
前記第２の判断ステップの処理により前記映像信号の入力フォーマットが前記高い解像度の出力フォーマットではないと判断された場合、前記映像信号を、前記高い解像度の出力フォーマットで所定の時間だけ出力し、その後、前記映像信号の入力フォーマットに対応した出力フォーマットで出力するように出力を制御する出力制御ステップと
を含むことを特徴とするコンピュータが読み取り可能なプログラムが記録されている記録媒体。
【請求項７】
映像出力端子と、前記映像出力端子の出力設定を切り換える切り換え手段とを備え、映像信号を処理し、前記映像出力端子を介して出力する映像信号処理装置のコンピュータに、
前記切り換え手段により前記映像出力端子が第１の出力設定から、前記第１の出力設定では出力できない高い解像度の出力フォーマットを有する第２の出力設定に切り換えられたか否かを判断する第１の判断ステップと、
前記第１の判断ステップの処理により前記映像出力端子が前記第１の出力設定から前記第２の出力設定に切り換えられたと判断された場合、前記映像信号の入力フォーマットが前記高い解像度の出力フォーマットであるか否かを判断する第２の判断ステップと、
前記第２の判断ステップの処理により前記映像信号の入力フォーマットが前記高い解像度の出力フォーマットではないと判断された場合、前記映像信号を、前記高い解像度の出力フォーマットで所定の時間だけ出力し、その後、前記映像信号の入力フォーマットに対応した出力フォーマットで出力するように出力を制御する出力制御ステップと
を実行させることを特徴とするプログラム。
【発明の詳細な説明】
【０００１】
【発明の属する技術分野】
本発明は、映像信号処理装置および方法、記録媒体、並びにプログラムに関し、特に、映像出力端子が誤って出力設定されることを抑制できるようにする映像信号処理装置および方法、記録媒体、並びにプログラムに関する。
【０００２】
【従来の技術】
近年、放送における映像信号の信号フォーマットとしては、525i（interlace）、525p（progressive）、1125iまたは750pが使用されている。そして、その映像信号をテレビジョン受像機から映像信号入力装置（例えば、ディスプレイ装置）に出力する映像信号出力端子として、日本電子機械工業会（ＥＩＡＪ：Electronic Industries Association of Japan）のＣＰ−４１２０で規定されているＤ端子が使用される。
【０００３】
このＤ端子は、525iの映像信号に対応するＤ１端子、525i または525pの映像信号に対応するＤ２端子、525i 、525pまたは1125iの映像信号に対応するＤ３端子、および、525i 、525p、1125iまたは750pの映像信号に対応するＤ４端子により構成されており、各テレビジョン受像機において、入力の信号フォーマットとＤ端子の設定に基づいて、映像信号の出力フォーマットの仕様が予め定められている。
【０００４】
例えば、このテレビジョン受像機では、Ｄ端子の出力設定（以下、出力フォーマット設定とも称する）がＤ３端子の場合、入力される映像信号のうち、1125iまたは750pの信号フォーマットの映像信号が1125iの信号フォーマットで出力されることが定められており、また、出力フォーマット設定がＤ４端子の場合、入力される映像信号のうち、1125iの信号フォーマットの映像信号が1125iの信号フォーマットで出力され、750pの信号フォーマットの映像信号が750pの信号フォーマットで出力されることが定められている。
【０００５】
このような出力フォーマットの仕様のＤ端子を有するテレビジョン受像機において、Ｄ端子の出力フォーマット設定を切り換える場合について、図１を参照して説明する。図１は、このテレビジョン受像機にＤ端子を介して接続しているディスプレイ装置の表示画面の例を示す図である。
【０００６】
図１の例においては、テレビジョン受像機に、750pの信号フォーマットの映像信号が入力されており、Ｄ端子の出力フォーマット設定がＤ３端子の場合、ディスプレイ装置の表示画面１には、1125iの信号フォーマットで映像信号が出力される。そこで、ユーザは、Ｄ端子の出力フォーマット設定をＤ３端子からＤ４端子に切り換える。それに対応して、この映像信号の信号フォーマットが、1125iから750pに変更されるので、表示画面２に示されるように、一旦、ダイアログＡの背景に、750pの信号フォーマットの映像信号が出力されるとともに、ダイアログＡに、「出力形式を切り換えます。切り換えてよいですか？」という忠告表示とともに、「はい」ボタンＡ１および「いいえ」ボタンＡ２が表示される。
【０００７】
例えば、テレビジョン受像機にＤ端子を介して接続しているディスプレイ装置が、750pの信号フォーマットの映像信号に対応している場合、750pの信号フォーマットの映像信号は、表示画面２に正常に出力されるため、ユーザは、すぐに、ディスプレイ装置が750pの信号フォーマットの映像信号に対応していることがわかる。そこで、ユーザは、ボタンなどにより構成される入力部などを介して、「はい」ボタンＡ１を選択することにより、Ｄ端子の出力フォーマット設定をＤ４端子に切り換え、750pの信号フォーマットの映像信号で出力される表示画面３を視聴することができる。
【０００８】
反対に、このディスプレイ装置が750pの信号フォーマットの映像信号に対応していない場合、750pの信号フォーマットの映像信号は、表示画面２に乱れて出力されるため、ユーザは、すぐに、ディスプレイ装置が、750pの信号フォーマットの映像信号に対応していないことがわかる。そこで、ユーザは、ボタンなどにより構成される入力部などを介して、「いいえ」ボタンＡ２を選択することにより、Ｄ端子の出力フォーマット設定をＤ４端子に切り換えることを止め、Ｄ３端子のままで、1125iの信号フォーマットの映像信号で出力される表示画面４を視聴することになる。
【０００９】
以上のように、テレビジョン受像機においては、Ｄ端子の出力フォーマット設定を切り換える場合、一旦、切り換えた後の信号フォーマットの映像信号を出力するとともに、ダイアログを出力し、変更するか否かをユーザに確認させ、ユーザにより入力された指示に基づいて、Ｄ端子の出力フォーマット設定を切り換えるようにしていた。
【００１０】
【発明が解決しようとする課題】
しかしながら、このような仕様のＤ端子を有するテレビジョン受像機に、例えば、1125iの信号フォーマットの映像信号が入力されている場合、Ｄ端子の出力フォーマット設定がＤ３端子からＤ４端子に切り換えられたとしても、出力の信号フォーマットは、1125iの信号フォーマットのまま変わらない。したがって、Ｄ端子の出力フォーマット設定をＤ４端子に切り換えても、接続されているディスプレイ装置が、その1125iの信号フォーマットの映像信号を正常に出力できてしまう。
【００１１】
このような場合に、Ｄ端子の出力フォーマット設定がＤ４端子に切り換えられたままの状態で、信号フォーマットが750pの映像信号が入力されたときに初めて、それに対応して、出力の信号フォーマットが750pに変わるため、このテレビジョン受像機に接続されているディスプレイ装置の映像が突然乱れてしまい、これにより、初めて、ユーザは、このディスプレイ装置が750pの信号フォーマットに対応していない（Ｄ４端子に完全には対応していない）ことを把握する場合があった。
【００１２】
すなわち、ユーザは、Ｄ端子の出力フォーマット設定を切り換えた直後には、このディスプレイ装置が750pの信号フォーマットに対応していないことを把握できないという課題があった。
【００１３】
さらに、Ｄ端子の出力フォーマット設定を切り換えてからしばらくの間、750pの信号フォーマットの映像信号が入力されない場合において、信号フォーマットが750pの映像信号が入力されたとき、ユーザは、ディスプレイ装置の映像が突然乱れた原因がわからず、ディスプレイ装置が壊れてしまったのではないかという混乱を引き起こしてしまうという課題があった。
【００１４】
本発明はこのような状況に鑑みてなされたものであり、ユーザにより映像出力端子が誤った出力設定されるのを抑制できるようにするものである。
【００１５】
【課題を解決するための手段】
本発明の映像信号処理装置は、切り換え手段により映像出力端子が第１の出力設定から、第１の出力設定では出力できない高い解像度の出力フォーマットを有する第２の出力設定に切り換えられたか否かを判断する第１の判断手段と、第１の判断手段により映像出力端子が第１の出力設定から第２の出力設定に切り換えられたと判断された場合、映像信号の入力フォーマットが高い解像度の出力フォーマットであるか否かを判断する第２の判断手段と、第２の判断手段により映像信号の入力フォーマットが高い解像度の出力フォーマットではないと判断された場合、映像信号を、高い解像度の出力フォーマットで所定の時間だけ出力し、その後、映像信号の入力フォーマットに対応した出力フォーマットで出力するように出力を制御する出力制御手段とを備えることを特徴とする。
【００１６】
第１の出力設定は、Ｄ３端子の設定であり、第２の出力設定は、Ｄ４端子の設定であり、高い解像度の出力フォーマットは、750pのフォーマットであるようにすることができる。
【００１７】
第１の出力設定は、Ｄ２端子の設定であり、第２の出力設定は、Ｄ４端子の設定であり、高い解像度の出力フォーマットは、1125iまたは750pのフォーマットであるようにすることができる。
【００１８】
第１の出力設定は、Ｄ２端子の設定であり、第２の出力設定は、Ｄ３端子の設定であり、高い解像度の出力フォーマットは、1125iのフォーマットであるようにすることができる。
【００１９】
本発明の映像信号処理方法は、切り換え手段により映像出力端子が第１の出力設定から、第１の出力設定では出力できない高い解像度の出力フォーマットを有する第２の出力設定に切り換えられたか否かを判断する第１の判断ステップと、第１の判断ステップの処理により映像出力端子が第１の出力設定から第２の出力設定に切り換えられたと判断された場合、映像信号の入力フォーマットが高い解像度の出力フォーマットであるか否かを判断する第２の判断ステップと、第２の判断ステップの処理により映像信号の入力フォーマットが高い解像度の出力フォーマットではないと判断された場合、映像信号を、高い解像度の出力フォーマットで所定の時間だけ出力し、その後、映像信号の入力フォーマットに対応した出力フォーマットで出力するように出力を制御する出力制御ステップとを含むことを特徴とする。
【００２０】
本発明の記録媒体のプログラムは、切り換え手段により映像出力端子が第１の出力設定から、第１の出力設定では出力できない高い解像度の出力フォーマットを有する第２の出力設定に切り換えられたか否かを判断する第１の判断ステップと、第１の判断ステップの処理により映像出力端子が第１の出力設定から第２の出力設定に切り換えられたと判断された場合、映像信号の入力フォーマットが高い解像度の出力フォーマットであるか否かを判断する第２の判断ステップと、第２の判断ステップの処理により映像信号の入力フォーマットが高い解像度の出力フォーマットではないと判断された場合、映像信号を、高い解像度の出力フォーマットで所定の時間だけ出力し、その後、映像信号の入力フォーマットに対応した出力フォーマットで出力するように出力を制御する出力制御ステップとを含むことを特徴とする。
【００２１】
本発明のプログラムは、切り換え手段により映像出力端子が第１の出力設定から、第１の出力設定では出力できない高い解像度の出力フォーマットを有する第２の出力設定に切り換えられたか否かを判断する第１の判断ステップと、第１の判断ステップの処理により映像出力端子が第１の出力設定から第２の出力設定に切り換えられたと判断された場合、映像信号の入力フォーマットが高い解像度の出力フォーマットであるか否かを判断する第２の判断ステップと、第２の判断ステップの処理により映像信号の入力フォーマットが高い解像度の出力フォーマットではないと判断された場合、映像信号を、高い解像度の出力フォーマットで所定の時間だけ出力し、その後、映像信号の入力フォーマットに対応した出力フォーマットで出力するように出力を制御する出力制御ステップとを実行させることを特徴とする。
【００２２】
本発明の映像信号処理装置および方法、記録媒体、並びにプログラムにおいては、第１の判断ステップの処理により映像出力端子が第１の出力設定から、第１の出力設定では出力できない高い解像度の出力フォーマットを有する第２の出力設定に切り換えられたと判断された場合、映像信号の入力フォーマットが高い解像度の出力フォーマットであるか否かが判断される。そして、映像信号の入力フォーマットが高い解像度の出力フォーマットではないと判断された場合、映像信号を、高い解像度の出力フォーマットで所定の時間だけ出力し、その後、映像信号の入力フォーマットに対応した出力フォーマットで出力するように出力が制御される。
【００２３】
【発明の実施の形態】
以下、図を参照して本発明の実施の形態について説明する。
【００２４】
図２は、本発明を適用したテレビジョン受像機１１の構成例を示している。このテレビジョン受像機１１は、図示せぬディスプレイ装置とＤ端子２８で接続されている。
【００２５】
チューナ２１は、図示せぬアンテナを介して受信された放送信号を選局、復調し、デマルチプレクサ２２に出力する。デマルチプレクサ２２は、その放送信号を、映像信号および音声信号に分離し、その中の映像信号を、ＭＰＥＧ（Moving Picture Experts Group）圧縮された映像信号として、デコーダ部２３に出力する。なお、音声信号は図示せぬオーディオデコーダ部に出力され、処理される。
【００２６】
デコーダ部２３は、その映像信号を、信号フォーマットに応じて、ベースバンドにデコードし、解像度変換部２６に出力する。また、デコーダ部２３は、その映像信号に対する信号フォーマットの情報をマイクロコンピュータ（以下、マイコンと称する）２４に出力する。なお、信号フォーマットは、放送信号において、大きく分類して、525i、525p、1125iおよび750pの４つの信号フォーマットが定義されている。ここで、数字は走査線の数を表し、iはインターレース（飛び越し走査）方式を、pはプログレッシブ（順次走査）方式をそれぞれ表す。
【００２７】
マイコン２４は、ユーザの操作に対応する信号を出力する入力部２５からの入力に対応して各部を制御する。また、マイコン２４は、デコーダ部２３により入力された映像信号に対する信号フォーマットの情報、または、ユーザにより指定されたＤ端子２８の出力フォーマット設定に基づいて、解像度変換部２６を制御する。
【００２８】
入力部２５は、各種のスイッチ、ボタン、リモートコントローラなどで構成され、ユーザの操作に対応した信号を出力する。例えば、Ｄ端子２８の出力フォーマット設定を変更するために、所定のボタンを押すと、Ｄ端子２８の出力フォーマット設定がマイコン２４に出力される。
【００２９】
解像度変換部２６は、デコーダ部２３から入力された映像信号を、マイコン２４の制御に応じて、色変換したり、解像度変換を実行し、Ｄ／Ａ（Digital/Analog）変換部２７に出力する。
【００３０】
Ｄ／Ａ変換部２７は、解像度変換部２６より入力された映像信号をアナログ信号に変換し、Ｄ端子２８を介して、ディスプレイ装置に出力する。このＤ端子２８は、525iの映像信号に対応するＤ１端子、525i または525pの映像信号に対応するＤ２端子、525i 、525pまたは1125iの映像信号に対応するＤ３端子、および、525i 、525p、1125iまたは750pの映像信号に対応するＤ４端子により構成される。そして、このテレビジョン受像機１１においては、入力された映像信号の信号フォーマット（入力フォーマット）とＤ端子２８の設定に基づいて、出力される映像信号の信号フォーマット（出力フォーマット）の仕様が、図３に示されるように、予め定められている。
【００３１】
図３は、このテレビジョン受像機１１のＤ端子２８の出力フォーマットの仕様例を示す図である。
【００３２】
図３の例においては、出力設定（以下、出力フォーマット設定と適宜称する）がＤ１端子の場合、入力されるすべての信号フォーマットの映像信号が525iの信号フォーマットで出力され、出力フォーマット設定がＤ２端子の場合、入力されるすべての信号フォーマットの映像信号が525pの信号フォーマットで出力され、出力フォーマット設定がＤ３端子の場合、入力されるすべての信号フォーマットの映像信号が1125iの信号フォーマットで出力される。
【００３３】
また、出力フォーマット設定がＤ４端子の場合、入力される映像信号のうち、750pの信号フォーマットの映像信号が750pの信号フォーマットで出力され、それ以外（525i、525pまたは1125i）の信号フォーマットの映像信号が1125iの信号フォーマットで出力される。
【００３４】
以上のようなＤ端子２８の出力フォーマット設定に基づいて、マイコン２４は、解像度変換部２６を制御する。
【００３５】
図４は、解像度変換部２６の詳細な構成例を示すブロック図である。図４において、解像度変換部２６は、信号入力部４１、色変換部４２、縮小フィルタ４３、メモリ４４、および、拡大フィルタ４５により構成される。
【００３６】
信号入力部４１は、デコーダ部２３から入力された映像信号を色変換部４２に供給する。色変換部４２は、マイコン２４からの制御信号に応じて、供給された映像信号の信号フォーマットが入出力で異なる場合に色変換を実行する。
【００３７】
縮小フィルタ４３は、マイコン２４からの制御信号に応じて、高い解像度から低い解像度に解像度変換する場合に、映像信号を縮小してメモリ４４に書き出し、反対に、低い解像度から高い解像度に解像度変換する場合には、その映像信号をそのまま何もせず、メモリ４４に書き出す。拡大フィルタ４５は、マイコン２４からの制御信号に応じて、低い解像度から高い解像度に解像度変換する場合に、メモリ４４から読み出された映像信号を拡大して、Ｄ／Ａ変換部２７に書き出し、反対に、高い解像度から低い解像度に解像度変換する場合には、その映像信号をそのまま何もせず、Ｄ／Ａ変換部２７に書き出す。
【００３８】
上述した縮小フィルタ４３、メモリ４４および拡大フィルタ４５により実行される解像度変換処理について、図５を参照して詳しく説明する。図５の例の場合、525iの映像信号６１は、ブランキング領域７１および有効画像領域７２により構成され、水平サイズ525×垂直サイズ858である。また、1125iの映像信号６２は、ブランキング領域７３および有効画像領域７４により構成され、水平サイズ2200×垂直サイズ1125である。
【００３９】
マイコン２４は、デコーダ部２３により入力された映像信号に対する信号フォーマットの情報、および、ユーザにより指定されたＤ端子２８の出力フォーマット設定（図３）に基づいて、入力の信号フォーマットと出力の信号フォーマットの解像度を比較判断する。そして、その映像信号の入力の信号フォーマットより出力の信号フォーマットの方が解像度が高いと判断された場合、縮小フィルタ４３、メモリ４４および拡大フィルタ４５は、映像信号の拡大解像度変換を実行する。
【００４０】
例えば、入力の信号フォーマット525iの映像信号が、出力の信号フォーマット1125iに拡大解像度変換されるとき、映像信号６１の水平位置122と垂直位置37から水平サイズ720×垂直サイズ480の有効画像領域７２が切り出され、メモリ４４に書き出される。なお、この場合は、低い解像度から高い解像度に解像度変換するため、この映像信号はそのままの信号フォーマットで縮小フィルタ４３をスルーする。その後、有効画像領域７２は、拡大フィルタ４５によりメモリ４４より読み出されながら、水平サイズ1920×垂直サイズ1080の有効画像領域７４に拡大され、映像信号６２の水平位置192と垂直位置20に配置され、出力される。これにより、525iの映像信号６１から1125iの映像信号６２への解像度変換が実行される。
【００４１】
また、反対に、入力の信号フォーマットより、出力の信号フォーマットの方が解像度が低いと判断された場合、縮小フィルタ４３、メモリ４４および拡大フィルタ４５は、映像信号の縮小解像度変換を実行する。
【００４２】
例えば、入力の信号フォーマット1125iの映像信号が、出力の信号フォーマット525iに縮小解像度変換されるとき、映像信号６２の水平位置192と垂直位置20から、水平サイズ1920×垂直サイズ1080の有効画像領域７４が切り出され、縮小フィルタ４３で、水平サイズ720×垂直サイズ480の有効画像領域７２に縮小されて、メモリ４４に書き出される。その後、有効画像領域７２は、拡大フィルタ４５によりメモリから読み出されながら、映像信号６１の水平位置122と垂直位置37に配置され、出力される。これにより、1125iの映像信号６２から525iの映像信号６１への解像度変換が実行される。なお、この場合は、高い解像度から低い解像度に解像度変換するため、この映像信号はそのままの信号フォーマットで拡大フィルタ４５をスルーする。
【００４３】
また、入力の信号フォーマットと、出力の信号フォーマットの解像度が同じであると判断された場合、縮小フィルタ４３、メモリ４４および拡大フィルタ４５は、映像信号をそのまま、Ｄ／Ａ変換部２７にスルーさせる。なお、この場合、縮小フィルタ４３は、有効画像領域を切り出し、そのまま、メモリ４４に書き出す。その後、拡大フィルタ４５は、メモリ４４の有効画像領域をそのままの信号フォーマットの映像信号の所定の位置に配置し、Ｄ／Ａ変換部２７に書き出す。
【００４４】
以上のようにして、テレビジョン受像機１１において、入出力で信号フォーマットが異なった場合、入力された映像信号の有効画像領域が切り出され、出力の信号フォーマットの有効画像領域のサイズに拡大縮小され、出力の信号フォーマットで規定されている有効画像の位置にセットされることにより、解像度変換が実行される。これにより、映像信号は、Ｄ端子２８の出力フォーマットの仕様に基づいた出力フォーマットで出力される。
【００４５】
次に、図６のフローチャートに基づいて、テレビジョン受像機１１の色変換処理の説明をする。
【００４６】
信号入力部４１は、デコーダ部２３からの信号フォーマットの映像信号を色変換部４２に供給する。そこで、ステップＳ１において、マイコン２４は、デコーダ部２３により入力された映像信号に対する入力の信号フォーマットの情報に基づいて、その映像信号の入力の信号フォーマットが525iまたは525pであるか否かを判断する。
【００４７】
ステップＳ１において、その映像信号の入力の信号フォーマットが525iまたは525pであると判断された場合、ステップＳ２において、マイコン２４は、ユーザにより指定されているＤ端子２８の出力フォーマット設定（図３）に基づいて、その映像信号の出力の信号フォーマットが525iまたは525pであるか否かを判断する。すなわち、Ｄ端子２８の出力フォーマット設定が、Ｄ１端子またはＤ２端子であれば、映像信号の出力の信号フォーマットが525iまたは525pであると判断され、Ｄ端子２８の出力フォーマット設定が、Ｄ３端子またはＤ４端子であれば、映像信号の出力の信号フォーマットが1125iまたは750pである（映像信号の出力の信号フォーマットが525iおよび525pではない）と判断される。
【００４８】
ステップＳ２において、その映像信号の出力の信号フォーマットが525iおよび525pではないと判断された場合、ステップＳ３において、色変換部４２は、図７に示される色変換テーブルに基づいて、映像信号の６０１に規定された色フォーマットから７０９に規定された色フォーマットに色変換する。
【００４９】
ステップＳ１において、その映像信号の入力の信号フォーマットが525iおよび525pでないと判断された場合、ステップＳ４において、マイコン２４は、ユーザにより指定されているＤ端子２８の出力フォーマット設定に基づいて、その映像信号の出力の信号フォーマットが525iまたは525pであるか否かを判断し、その映像信号の出力の信号フォーマットが525iまたは525pであると判断された場合、ステップＳ５において、色変換部４２は、図７に示される色変換テーブルに基づいて、映像信号の７０９に規定された色フォーマットから６０１に規定された色フォーマットに色変換する。
【００５０】
ステップＳ２において、その映像信号の出力の信号フォーマットが525iまたは525pであると判断された場合、または、ステップＳ４において、その映像信号の出力の信号フォーマットが525iおよび525pではないと判断された場合、映像信号の入出力の色フォーマットは同じであるので、色変換は実行されない。
【００５１】
以上の色変換処理について、図７を参照して詳しく説明する。
【００５２】
図７は、色変換テーブルの例を示す図である。525iまたは525pの信号フォーマットの場合の色フォーマットは、ＣＣＩＲ（国際無線通信顧問委員会）−ＲＥＣ６０１により規定されており、1125iまたは750pの信号フォーマットの場合の色フォーマットは、ＣＣＩＲ−ＲＥＣ７０９により規定されているため、色変換部４２において、各信号フォーマットの規定に従って色変換が行われる。したがって、入出力の信号フォーマットを比較し、規定されている色フォーマットが異なっている場合のみ色変換が行われる。
【００５３】
図７の例においては、入力の信号フォーマットが525iまたは525pであり、出力の信号フォーマットが525iまたは525pである場合は、映像信号の色フォーマットは同じであるので、色変換は実行されない。入力の信号フォーマットが525iまたは525pであり、出力の信号フォーマットが1125iまたは750pである場合は、映像信号の色フォーマットが、６０１に規定された色フォーマットから７０９に規定された色フォーマットに変換される。
【００５４】
また、入力の信号フォーマットが1125iまたは750pであり、出力の信号フォーマットが525iまたは525pである場合は、映像信号の色フォーマットが、７０９に規定された色フォーマットから６０１に規定された色フォーマットに変換される。入力の信号フォーマットが1125iまたは750pであり、出力の信号フォーマットが1125iまたは750pである場合は、映像信号の色フォーマットは同じであるので、色変換は実行されない。
【００５５】
次に、図８のフローチャートに基づいて、テレビジョン受像機１１のＤ端子２８の出力フォーマット設定の切り換え処理を説明する。
【００５６】
例えば、テレビジョン受像機１１において、Ｄ端子２８の出力フォーマット設定が、Ｄ３端子として設定されている。ユーザは、入力部２５を構成するボタンなどを操作することにより、Ｄ端子２８の出力フォーマット設定を切り換える。そこで、ステップＳ２１において、マイコン２４は、入力部２５からの信号に基づいて、Ｄ端子２８の出力フォーマット設定がＤ４端子に切り換わったと判断するまで待機する。
【００５７】
ステップＳ２１において、Ｄ端子２８の出力フォーマット設定がＤ４端子に切り換わったと判断された場合、ステップＳ２２において、マイコン２４は、デコーダ部２３により入力された映像信号に対する入力の信号フォーマットの情報に基づいて、その映像信号の入力の信号フォーマットが750pであるか否かを判断する。この750pの信号フォーマットは、Ｄ４端子における最高解像度の信号フォーマットであり、さらに、切り換え前のＤ３端子では出力できない（1125iに解像度変換されて出力される）解像度の信号フォーマットである。
【００５８】
ステップＳ２２において、その映像信号の入力の信号フォーマットが750pではない（例えば、525i 、525pまたは1125iの信号フォーマットである）と判断された場合、ステップＳ２３において、マイコン２４は、縮小フィルタ４３、メモリ４４および拡大フィルタ４５を制御し、その映像信号の信号フォーマットを750pに解像度変換させ、所定の時間だけ（例えば、５秒間）、Ｄ／Ａ変換部２７に出力させる。したがって、例えば、ディスプレイ装置が750pに対応していない場合は、ディスプレイ装置には、乱れた映像が出力される。これにより、ユーザは、ディスプレイ装置が、750pに対応していない（Ｄ４端子に完全には対応していない）ことをすぐに把握できる。
【００５９】
その後、マイコン２４は、ステップＳ２４において、縮小フィルタ４３、メモリ４４および拡大フィルタ４５を制御し、映像信号の出力の信号フォーマットを、所定の信号フォーマット（いまの場合、1125iの信号フォーマット）に解像度変換させ、Ｄ／Ａ変換部２７に出力させる。
【００６０】
具体的には、図５を参照して説明したように、例えば、信号フォーマットが1125iの映像信号が入力された場合、５秒間だけ、縮小フィルタ４３は、有効画像領域を切り出し、そのまま、メモリ４４に書き出し、拡大フィルタ４５は、メモリ４４の有効画像領域を750pに拡大し、750pの映像信号の所定の位置に配置し、Ｄ／Ａ変換部２７に書き出す。その５秒後、縮小フィルタ４３は、有効画像領域を切り出し、そのまま、メモリ４４に書き出す。その後、拡大フィルタ４５は、メモリ４４の有効画像領域をそのまま、1125iの映像信号の所定の位置に配置し、Ｄ／Ａ変換部２７に書き出す。
【００６１】
一方、ステップＳ２２において、その映像信号の入力の信号フォーマットが750pであると判断された場合、ステップＳ２５において、マイコン２４は、縮小フィルタ４３、メモリ４４および拡大フィルタ４５を制御し、映像信号の出力の信号フォーマットを750pのままで、Ｄ／Ａ変換部２７に出力させる。
【００６２】
以上により、Ｄ端子２８の出力フォーマット設定（Ｄ４端子）の切り換え時において、入力されるすべての信号フォーマットの映像信号を、一旦、Ｄ３端子では出力することのできない（すなわち、Ｄ４端子でしか出力できない）750pで出力させるようにしたので、切り換えたその時にすぐに、ディスプレイ装置が750p（Ｄ４端子）に対応しているか否かがわかる。
【００６３】
上記説明においては、図３に示されるようなＤ端子の出力フォーマットの仕様を用いて説明したが、テレビジョン受像機１１においては、図９に示されるようなＤ端子の出力フォーマットの仕様を用いるようにしてもよい。
【００６４】
図９は、テレビジョン受像機１１のＤ端子２８の出力フォーマットの他の仕様例を示す図である。
【００６５】
図９の例においては、出力フォーマット設定がＤ１端子の場合、入力されるすべての信号フォーマットの映像信号が525iの信号フォーマットで出力され、出力フォーマット設定がＤ２端子の場合、入力される映像信号のうち、525iの信号フォーマットの映像信号が525iの信号フォーマットで出力され、525p、1125iまたは750pの信号フォーマットの映像信号が525pの信号フォーマットで出力される。
【００６６】
出力フォーマット設定がＤ３端子の場合、入力される映像信号のうち、525iの信号フォーマットの映像信号が525iの信号フォーマットで出力され、525pの信号フォーマットの映像信号が525pの信号フォーマットで出力され、1125iまたは750pの信号フォーマットの映像信号が1125iの信号フォーマットで出力される。出力フォーマット設定がＤ４端子の場合、入力される映像信号のうち、525iの信号フォーマットの映像信号が525iの信号フォーマットで出力され、525pの信号フォーマットの映像信号が525pの信号フォーマットで出力され、1125iの信号フォーマットの映像信号が1125iの信号フォーマットで出力され、750pの信号フォーマットの映像信号が750pの信号フォーマットで出力される。
【００６７】
以上のような図９のＤ端子２８の出力フォーマットの仕様に基づいて実行されるテレビジョン受像機１１のＤ端子２８の出力フォーマット設定の切り換え処理の他の例を、図１０のフローチャートを参照して説明する。
【００６８】
例えば、テレビジョン受像機１１において、Ｄ端子２８の出力フォーマット設定が、Ｄ２端子として設定されている。ユーザは、入力部２５を構成するボタンなどを操作することにより、Ｄ端子２８の出力フォーマット設定を切り換える。そこで、ステップＳ２１において、マイコン２４は、入力部２５からの信号に基づいて、Ｄ端子２８の出力フォーマット設定がＤ３端子に切り換わったか否かを判断する。
【００６９】
ステップＳ４１において、Ｄ端子２８の出力フォーマット設定がＤ３端子に切り換わったと判断された場合、ステップＳ４２において、マイコン２４は、デコーダ部２３により入力された映像信号に対する入力の信号フォーマットの情報に基づいて、その映像信号の入力の信号フォーマットが1125iまたは750pであるか否かを判断する。
【００７０】
この1125iの信号フォーマットは、Ｄ３端子における最高解像度の信号フォーマットであり、さらに、切り換え前のＤ２端子では出力できない（1125iに解像度変換されて出力される）解像度の信号フォーマットである。また、この750pの信号フォーマットは、Ｄ３端子では出力できないため、1125i（切り換え前のＤ２端子では出力できない解像度の信号フォーマット）に解像度変換されて出力される解像度の信号フォーマットである。
【００７１】
ステップＳ４２において、その映像信号の入力の信号フォーマットが1125iかつ750pではない（例えば、525i または525pの信号フォーマットである）と判断された場合、ステップＳ４３において、マイコン２４は、縮小フィルタ４３、メモリ４４および拡大フィルタ４５を制御し、その映像信号の信号フォーマットを1125iに解像度変換させ、所定の時間だけ（例えば、５秒間）、Ｄ／Ａ変換部２７に出力させる。したがって、例えば、ディスプレイ装置が1125iに対応していない場合は、ディスプレイ装置には、乱れた映像が出力される。これにより、ユーザは、ディスプレイ装置が、1125iに対応していない（Ｄ３端子に完全には対応していない）ことがすぐに把握できる。
【００７２】
その後、マイコン２４は、ステップＳ４４において、縮小フィルタ４３、メモリ４４および拡大フィルタ４５を制御し、映像信号の出力の信号フォーマットを、図９のＤ端子２８の出力フォーマット設定に基づいた、所定の信号フォーマットに解像度変換させ、Ｄ／Ａ変換部２７に出力させる。したがって、入力された映像信号が525iの信号フォーマットの場合、525iの信号フォーマットのまま出力され、入力された映像信号が525pの信号フォーマットの場合、525pの信号フォーマットのまま出力される。
【００７３】
一方、ステップＳ４２において、その映像信号の入力の信号フォーマットが1125iまたは750pであると判断された場合、ステップＳ４５において、マイコン２４は、縮小フィルタ４３、メモリ４４および拡大フィルタ４５を制御し、映像信号の出力の信号フォーマットを1125iに解像度変換させ（または、1125iのまま）、Ｄ／Ａ変換部２７に出力させる。
【００７４】
以上により、切り換えられたＤ端子２８の出力フォーマット設定（Ｄ３端子）において、入力されるすべての信号フォーマットの映像信号を、一旦、Ｄ２端子では出力することのできない（すなわち、Ｄ３端子以上の設定でしか出力できない）1125iで出力させるようにしたので、切り換えたその時にすぐに、ディスプレイ装置が1125i（Ｄ３端子）に対応しているか否かがわかる。
【００７５】
上記説明において、Ｄ２端子からＤ３端子に切り換える場合を説明したが、Ｄ２端子からＤ４端子に切り換える場合、または、Ｄ３端子からＤ４端子に切り換える場合においても同様の効果がある。なお、その場合、一旦、Ｄ２端子またはＤ３端子では出力することのできない（すなわち、Ｄ４端子の出力フォーマット設定でしか出力できない）750pで出力させるようにする。
【００７６】
さらに、Ｄ１端子から、Ｄ２端子乃至Ｄ４端子のいずれかの出力フォーマット設定に切り換える場合にも適用される。
【００７７】
以上のように、Ｄ端子２８の出力フォーマット設定を切り換えた場合、映像信号の入力の信号フォーマットに拘らず、切り換えた後の出力フォーマット設定では出力できるが、切り換える前の出力フォーマット設定では出力できない解像度の出力フォーマットで、一旦出力するようにしたので、切り換えたその時にすぐに、ディスプレイ装置がその出力フォーマット設定に対応しているか否かがわかる。
【００７８】
以上より、ユーザにより完全には対応していない出力設定を誤って設定してしまうことが抑制される。これにより、ユーザが、ディスプレイ装置の映像が突然乱れた原因がわからず、ディスプレイ装置が壊れてしまったと勘違いすることも抑制することができる。
【００７９】
以上においては、ＮＴＳＣ（National Television System Committee）方式の場合について説明したが、ＰＡＬ（Phase Alternating Line）方式の場合にも適用される。
【００８０】
上述した一連の処理は、ハードウェアにより実行させることもできるが、ソフトウェアにより実行させることもできる。この場合、例えば、テレビジョン受信機１１は、図１１に示されるようなテレビジョン受信機１０１により構成される。
【００８１】
図１１において、ＣＰＵ（Central Processing Unit）１１１は、ＲＯＭ(Read Only Memory) １１２に記憶されているプログラム、または、記憶部１１８からＲＡＭ（Random Access Memory）１１３にロードされたプログラムに従って各種の処理を実行する。ＲＡＭ１１３にはまた、ＣＰＵ１１１が各種の処理を実行する上において必要なデータなどが適宜記憶される。
【００８２】
ＣＰＵ１１１、ＲＯＭ１１２、およびＲＡＭ１１３は、バス１１４を介して相互に接続されている。このバス１１４にはまた、入出力インタフェース１１５も接続されている。
【００８３】
入出力インタフェース１１５には、キーボード、マウスなどよりなる入力部１１６、ＣＲＴ(Cathode Ray Tube)，ＬＣＤ（Liquid Crystal Display）などよりなるディスプレイ、並びにスピーカなどよりなる出力部１１７、ハードディスクなどより構成される記憶部１１８、モデム、ターミナルアダプタなどより構成される通信部１１９が接続されている。通信部１１９は、図示しないネットワークを介しての通信処理を行う。
【００８４】
入出力インタフェース１１５にはまた、必要に応じてドライブ１２０が接続され、磁気ディスク１２１、光ディスク１２２、光磁気ディスク１２３、或いは半導体メモリ１２４などが適宜装着され、それから読み出されたコンピュータプログラムが、必要に応じて記憶部１１８にインストールされる。
【００８５】
一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば、汎用のパーソナルコンピュータなどに、ネットワークや記録媒体からインストールされる。
【００８６】
この記録媒体は、図１１に示すように、装置本体とは別に、ユーザにプログラムを提供するために配布される、プログラムが記録されている磁気ディスク１２１（フレキシブルディスクを含む）、光ディスク１２２（CD-ROM(Compact Disk-Read Only Memory)，ＤＶＤ(Digital Versatile Disk)を含む）、光磁気ディスク１２３（MD(Mini-Disk)（商標）を含む）、もしくは半導体メモリ１２４などよりなるパッケージメディアにより構成されるだけでなく、装置本体に予め組み込まれた状態でユーザに提供される、プログラムが記録されているＲＯＭ１１２や、記憶部１１８に含まれるハードディスクなどで構成される。
【００８７】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【００８８】
【発明の効果】
以上の如く、本発明によれば、映像出力端子が誤って出力設定されるのを抑制できる。さらに、本発明によれば、映像出力端子の出力設定の切り換え時、その出力設定の対応未対応がすぐにわかる。
【図面の簡単な説明】
【図１】従来の出力設定切り換えの画面表示の例を示す図である。
【図２】本発明を適用したテレビジョン受像機の構成例を示すブロック図である。
【図３】図２のテレビジョン受像機の出力端子の出力フォーマットの仕様例を示す図である。
【図４】図２のテレビジョン受像機の解像度変換部の構成例を示すブロック図である。
【図５】図２のテレビジョン受像機の解像度変換の処理を説明する図である。
【図６】図２のテレビジョン受像機の解像度変換部の色変換処理を説明するフローチャートである。
【図７】図２のテレビジョン受像機の色変換テーブルを示す図である。
【図８】図２のテレビジョン受像機の出力設定の切り換え処理を説明するフローチャートである。
【図９】図２のテレビジョン受像機の出力端子の出力フォーマットの他の仕様例を示す図である。
【図１０】図２のテレビジョン受像機の出力端子の出力フォーマットの他の仕様例を示す図である。
【図１１】図２のテレビジョン受像機の他の構成例を示す図である。
【符号の説明】
１１  テレビジョン受像機，２３  デコーダ部，２４  マイコン，２５  入力部，２６  解像度変換部，２７  Ｄ／Ａ変換部，２８  Ｄ端子，４１  信号入力部，４２  色変換部，４３  縮小フィルタ，４４  メモリ，４５  拡大フィルタ
【図１】
0003968776.tif 000002
【図２】
0003968776.tif 000003
【図３】
0003968776.tif 000004
【図４】
0003968776.tif 000005
【図５】
0003968776.tif 000006
【図６】
0003968776.tif 000007
【図７】
0003968776.tif 000008
【図８】
0003968776.tif 000009
【図９】
0003968776.tif 000010
【図１０】
0003968776.tif 000011
【図１１】
0003968776.tif 000012